(57)【要約】【課題】  多数の釘を渦巻き状に巻回してなる連結釘を複数個、形崩れや妄動させることなく、収納時の形態をそのまま保持した安定した状態で収納しておくことができる収納ケースを提供する。【解決手段】  片面段ボールからなるシート状物２をその波形の中芯原紙を上向きにして収納ケース１に敷設し、このシート状物２上に複数個の連結釘Ａを、その釘の尖鋭な先端部を下向きにして並列状態に載置し、連結釘Ａの自重によってシート状物２の凸部3a上に位置した釘の先端部を該凸部3aに食い込ませると共に凹部3b上に位置した釘の先端部を該凹部3b内に沈み込ませた係止状態にして連結釘Ａを形崩れさせることなく、さらには、シート状物２上で前後左右に移動させることなく安定した収納した状態に保持する。【選択図】    図１
2007216971.tif 000002
【特許請求の範囲】
【請求項１】
渦巻き状に巻装してなる連結釘をその頭部を上向きにして複数個収納する連結釘の収納ケースであって、ケース内に、上面を連結釘の先端を係止させる凹凸係止面に形成したシート状物を敷設していることを特徴とする連結釘の収納ケース。
【請求項２】
収納ケースは段ボールケースからなり、その上蓋部を閉止した際に、該上蓋部の下面で内部に収納しているシート状物上の連結釘の頭部を押圧するように構成していることを特徴とする請求項１記載の連結釘の収納ケース。
【請求項３】
シート状物は波形の中芯原紙の片面にライナ原紙を貼り合わせてなる片面段ボールからなり、その波形の中芯原紙の上面を連結釘の先端を受止する凹凸係止面としていることを特徴とする請求項１に記載の連結釘の収納ケース。
【請求項４】
シート状物は上面全面に無数の小突起部を形成してなるシート材からなることを特徴とする請求項１に記載の連結釘の収納ケース。
【発明の詳細な説明】
【技術分野】
【０００１】
本発明は、自動釘打機のマガジンに装填されて使用される連結釘を収納しておくためのケースに関するものである。
【背景技術】
【０００２】
連結釘は公知のように、多数本の釘を小間隔毎に並列してその胴部を切断可能な線状物で帯状に連結し、これを渦巻き状に巻回することにより全体の形状を円筒形状に形成してなるものであるが、この連結釘は製造後に販売店やユーザ等に供給する際に、ダンボールケース等の収納ケースに所定個数宛収納し、梱包されている。
【０００３】
この際、複数個の連結釘を収納ケース内に収納するには、従来からプラスチック製のトレーを使用してこのトレー上に頭部を上向きにした状態で複数個の連結釘を並列状態に載置し、この連結釘を載置したトレーを収納ケース内に１段或いは２段積み状態に収納しているが、トレーの上面は平滑な面に形成されているために、連結釘を収納したケースを持ち運びする際や車両等によって搬送する際に、ケース上で前後左右に摺動移動して互いに押接し合い、その結果、渦巻き状に巻回した形態が変形して安定した収納状態を維持することができなくなるばかりでなく、大きく変形した場合には自動釘打機のマガジンに装填し難くなる虞れが生じ、その上、ケースの平滑な上面に受止されている釘の先端が振動や衝撃力、さらには、トレー上での摺動によって損傷するといった問題点があった。
【０００４】
このため、例えば特許文献１に記載されているように、複数個の連結釘を載置するトレーとして、上面が平滑な面に形成されている矩形状の厚紙の両側部を上方に屈折して収納ケースの対向する内側面に接する側片に形成すると共に該厚紙の長さ方向の中央両側部から上記両側片の長さ方向の中央下部にかけて上方に起立可能な切り起こし片を形成してなるトレーを使用し、長さ方向の中央両側部に設けている切り起こし片間、即ち、トレーの中央部上に１個の連結釘を載置して該連結釘を切り起こし片によって挟持させた状態にする一方、切り起こし片が存在しないトレーの前後部上にそれぞれ２個の連結釘を並設状態に載置して、トレー上でのこれらの連結釘の摺動移動を、収納ケースの胴部における直角に連続した内面と上記切り起こし片とによって規制するように構成した収納ケースが開発されている。
【特許文献１】特開２００５−３４３５１９号公報
【発明の開示】
【発明が解決しようとする課題】
【０００５】
しかしながら、収納ケース内に収納した全ての連結釘の移動を規制し得るようにするには、それに応じた大きさ、形状を有する収納ケースやトレーを特別に製作しなければならず、そのため、トレーとして上述したような切り起こし片などを備えた構造を必要として使用に際して煩わしさが生じると共にコスト高になる。また、実際上、収納ケース内に複数個の連結釘を並列状態に容易に収納し得るようにするには、どうしても連結釘同士や連結釘と収納ケースの胴部内周面との間には隙間が生じるものであり、このように連結釘を収納したケースを持ち運びしたり運搬する際には、収納ケースの傾きや振動によって全ての連結釘がケース上を一方向に移動して互いに押し付け合って形態が変形するばかりでなく、収納ケースからの取り出しが円滑に行うことができなくなるといった問題点がある。
【０００６】
本発明はこのような問題点に鑑みてなされたもので、その目的とするところは、簡単な構成によって複数個の連結釘を収納ケース内の所定位置にその位置から前後方向に移動することなく安定した状態で固定させておくことができる連結釘の収納ケースを提供するにある。
【課題を解決するための手段】
【０００７】
上記目的を達成するために、本発明の連結釘の収納ケースは、請求項１に記載したように、渦巻き状に巻装してなる連結釘をその頭部を上向きにして複数個収納する連結釘の収納ケースであって、ケース内に、上面を連結釘の先端を係止させる凹凸係止面に形成したシート状物を敷設していることを特徴とする。
【０００８】
このように構成した連結釘の収納ケースにおいて、請求項２に係る発明は、収納ケースは段ボールケースからなり、その上蓋部を閉止した際に、該上蓋部の下面で内部に収納しているシート状物上の連結釘の頭部を押圧するように構成していることを特徴とする。
【０００９】
さらに、上面を連結釘の先端を係止させる凹凸係止面に形成した上記シート状物としては、請求項３に記載したシート状物は、波形の中芯原紙の片面にライナ原紙を貼り合わせてなる片面段ボールから形成してその波形の中芯原紙の上面を連結釘の先端を受止する凹凸係止面としてあり、請求項４に記載したシート状物は、上面全面に無数の小突起部を形成してなる紙製又は軟質合成樹脂製シート材からなり、その小突起部を有する上面を凹凸係止面に形成している。
【発明の効果】
【００１０】
本発明の連結釘の収納ケースによれば、複数個の連結釘を載置した状態でケース内に敷設するシート状物として、上面を連結釘の先端を係止させる凹凸係止面に形成したシート状物を使用しているので、構造が極めて簡単で安価に提供できるのは勿論、取り扱いも容易であり、ケース内への敷設も簡単に行えて連結釘の収納作業を円滑且つ能率よく行えるものであり、その上、このシート状物の所定部分に連結釘を載置すると、この連結釘を構成している多数本の釘において、シート状物の凸部上に当接した釘の先端（下端）が連結釘の重量によって該凸部を下方に凹ませるように変形させながらその凸部に食い込む一方、シート状物の凹部に対応する位置にある釘が自重により僅かに下動してその先端部を上記凸部に食い込んでいる釘の先端よりも下位位置となるように凹部内に沈み込んで凹部内で宙づり状態になり、さらには、該凹部内で凸部寄りに偏った位置にある釘の先端は、凸部から凹部の底面に至る間の側面に当接、受止されて係止した状態となる。
【００１１】
このように、連結釘を構成している多数本の釘の先端が、シート状物の凹凸係止面における凸部に食い込み状態で係止したり、凹部内に没入、係合した状態となって連結釘全体がシート状物の面に沿って横移動するのを確実に阻止することができるものである。
【００１２】
その上、収納ケースを持ち運びしたり運送中において、収納ケースが傾斜したり上下方向の振動により、例え、シート状物の凸部に先端を食い込ませている釘が浮き上がってその食い込み力を弱めても、さらには、係止状態が殆ど解かれた状態となっても、凹部内に沈み込んでいる釘の先端が上記凸部側の釘の先端よりも下位に位置しているので、この釘の先端が凸部の側面に受止されて横移動するのを確実に防止することができるものである。従って、シート状物に載置したその位置で、渦巻き状に巻回した連結釘の形態を確実且つ強固に保持して安定した状態で収納しておくことができるものであり、また、使用に際しては収納ケース内からの取り出しも円滑に行うことができる。
【００１３】
さらに、請求項２に記載したように、段ボールケースからなる収納ケースを使用して、収納した連結釘を梱包する際に、その上蓋部の下面でケース内に収納しているシート状物上の連結釘の頭部を押圧するように構成しておけば、全ての連結釘をシート状物の凹凸係止面に積極的に押し付けておくことができ、従って、取り扱い中に収納ケースを不測に大きく傾斜させても、さらには、上下方向、左右方向の振動が発生しても、連結釘が前後左右方向に妄動する虞れを確実になくすることができ、シート状物上に載置した時の渦巻き状に巻回したそのままの形態を一層強固に保持させておくことができる。
【００１４】
その上、収納ケース内に複数個の連結釘を収納して梱包する場合、該収納ケースの内底面に上記シート状物をその凹凸係止面を上向きにして敷設したのち、このシート状物上に複数個の連結釘を並列状に載置し、２段状に重ね合わせる場合には、これらの連結釘列上に次のシート状物を敷設したのちこのシート状物上に同様にして複数個の連結釘を並列状に載置し、最後に、収納ケースの上蓋部を閉止してその下面で最上段側の連結釘の釘頭を押し付けた状態にするという、極めて簡単な作業によって順次、能率よく梱包することができる。この際、収納ケースの上蓋部の下面で最上段側の連結釘の釘頭を直接、押し付けることができるように構成しておいてもよく、或いは、最上段側の連結釘の釘頭上に所定厚みを有する緩衝シート材を敷設し、この緩衝シート材を介して上蓋を閉止するように構成しておいてもよい。
【００１５】
また、請求項３に係る発明によれば、上記シート状物として、波形の中芯原紙の片面にライナ原紙を貼り合わせてなる片面段ボールから形成し、その波形の中芯原紙を上向きにして波形に湾曲した上面を連結釘の先端を受止する凹凸係止面としたシート状物を使用しているので、通常の片面段ボールを収納ケースの大きさに応じて裁断することにより、簡単且つ安価に製作することができると共に、取扱性も良好で、収納ケース内への敷設も簡単且つ正確に行うことができる。
【００１６】
さらに、この片面段ボールからなるシート状物上に連結釘を載置すると、波形の中芯原紙は柔軟性を有しているので、連結釘を構成している多数本の釘において、その波形の凸部に対応する釘の先端が該凸部を凹ませるように変形させながら凸部に食い込んだ状態ととなり、波形の凹部に対応する釘の先端が該凹部内に没入、係止した状態となるのと相まって、持ち運びや運送中においても、連結釘全体が前後左右方向に妄動したり変形したりするのを強固に阻止することができ、片面段ボールの中芯原紙上の所定部位にその渦巻き状に巻回している形態を保持した極めて安定した状態で収納しておくことができると共に振動や衝撃力を受けても、波形の中芯原紙がクッションの作用を奏して緩衝し、尖鋭な釘の先端を損傷させる虞れもない。
【００１７】
このようなシート状物として、請求項４に記載したように、上面全面に無数の小突起部を形成してなる紙製又は軟質合成樹脂製シート材からなり、その小突起部を有する上面を凹凸係止面に形成してなるシート状物を使用してもよく、このような無数の小突起部を有する凹凸係止面であっても上記片面段ボールと同等な作用効果を奏することができる。
【発明を実施するための最良の形態】
【００１８】
次に、本発明の具体的な実施の形態を図面について説明すると、図１〜図３において、連結釘Ａの収納ケース１は、そのケース内に、上面を連結釘の先端を係止させる凹凸係止面３に形成しているシート状物２を敷設して、このシート状物２に複数個の連結釘Ａをその頭部を上向きにした状態で並列状に載置させるように構成してなるものであり、この実施の形態においては、収納ケース１として段ボールケースを採用しているが、その他の紙製ケースであってもよい。一方、上記シート状物２としては、波形の中芯原紙2aの片面にライナ原紙2bを貼り合わせてなる紙製の片面段ボールを収納ケース１の内底面と同一大きさの矩形状に裁断してなるものを使用し、その波形の中芯原紙2aによって上記連結釘Ａの尖鋭な先端を受止する凹凸係止面３に形成している。
【００１９】
連結釘Ａは、公知のように、一定長さを有する多数本の釘ａを小間隔毎に並列してその胴部をこれらの釘ａの長さ方向に直交する切断可能な金属細線からなる線状物ｂにより帯状に連結し、これを渦巻き状に巻回することによって全体の形状を円筒形状に形成してなるものであり、その外周面を糸状物ｃによって結束されていて、使用時にはこの糸状物ｃによる結束を解いて自動釘打機のマガジンに装填するように構成されている。
【００２０】
この連結釘Ａをその頭部を上向きにし、尖鋭な先端を下向きにした状態で、中芯原紙2aからなる凹凸係止面３を上向きにしている上記片面段ボールからなるシート状物２の所定部分に載置すると、この連結釘Ａの重量によって凹凸係止面３における凸部3a上に当接した連結釘Ａにおける釘a1の先端が、図  に示すように、該凸部3aを凹ませるように変形させながら該凸部3aのその凹み変形部に食い込んで係止する一方、凹凸係止面３における凹部3b上に位置する釘a2の先端が、該釘a2の自重によって凸部3aに食い込んでいる上記釘a1の先端よりも下方に沈み込み、該凹部3b内に没入してこの凹部3bと係合した状態となり、さらに、凹部3bに連なる凸部3aの傾斜面に対応する釘a3は、その傾斜面に僅かに食い込んだり、当接、受止された係止状態となる。従って、連結釘Ａ全体が変形したり、シート状物２上を前後左右に妄動したりすることなく、シート状物２上に載置された形態をそのまま維持した状態となる。
【００２１】
さらに、上記収納ケース１内において、シート状物２上に複数個の連結釘Ａを並列状態に載置した状態で収納、梱包したのち、持ち運びや搬送する場合において、収納ケース１が傾斜したり、該収納ケース１に振動や衝撃が与えられても、連結釘Ａがシート状物２上で横移動することもなく、シート状物２上の載置位置に確実に係止した状態を保持して隣接する連結釘Ａ、Ａ同士が押し合ったり、連結釘Ａがシート状物２の胴部内周面に押接したりすることもなく、安定した状態で収納しておくことができるものであり、また、使用に際して収納ケース１を開けた時に、該収納ケース１内からの取り出しも円滑に行うことができると共に、自動釘打機のマガジンに対する装填も迅速に行うことができる。
【００２２】
段ボールケースからなる上記収納ケース１内に上記片面段ボールからなるシート状物２を介して複数個の連結釘Ａを収納、梱包するには、まず、段ボールケースの下側フラップによって形成されている収納ケース１の下蓋部1bの上面、即ち、収納ケース１の内底面上にシート状物２をその波形の中芯原紙2aを上向きにして敷設したのち、複数個の連結釘Ａをその尖鋭な先端を下向きにして順次、収納ケース１の長さ方向及び幅方向に並列状に載置する。この際、収納ケース１の胴部1cの高さが連結釘Ａの高さに略等しい寸法に形成されている場合には、シート状物２上に上述したように複数個の連結釘Ａを配列させて載置させたのち、段ボールケースの上フラップによって形成されている収納ケース１の上蓋部1aにより収納ケース１の上端開口部を閉止する。
【００２３】
また、収納ケース１の胴部1cの高さが連結釘Ａを上下に数段、重ね合わせた状態で収納可能な高さ、例えば、図２に示すように、２段重ね状態に収納可能な高さ寸法を有する場合には、上記のように収納ケース１の内底面上に敷設したシート状物２上に複数個の連結釘Ａを並列状に載置したのち、この連結釘列上に次のシート状物２を敷設し、このシート状物２上に上記同様にして複数個の連結釘Ａを並列状に載置して２段目の連結釘列を形成する。この際、下段側の連結釘列上に薄肉の発泡合成樹脂シート等からなる緩衝シート材（図示せず）を敷設し、この緩衝シート材上にシート状物２を重ね合わせ状に敷設してもよい。こうして、収納ケース１内にシート状物２を介して数段の連結釘を収納したのち、上述したように該収納ケース１の上蓋部1aを閉止する（図３参照）。
【００２４】
そして、この上蓋部1aの閉止によって該上蓋部1aの下面で最上段の連結釘Ａの釘頭を押圧し、収納ケース１内に収納されている全ての連結釘Ａの先端（下端）をシート状物２の凹凸係止面３に強制的に押しつけて凹凸係止面３に対する食い込みによる係止力をさらに増大させて一層安定した収納形態とすることができ、この状態で収納ケース１を梱包するものである。尚、図４に示すように、最上段の連結釘列上に上述したような発泡合成樹脂シート等の緩衝シート材４を載置し、この緩衝シート材４を介して上蓋部1aを閉止してもよい。
【００２５】
以上の実施の形態においては、連結釘Ａを載置するシート状物２として、片面段ボールを使用しているが、このような片面段ボールに限らず、例えば、図６、７に示すように、上面全面に一定高さを有する無数の小突起部からなる凸部3a' を縦横に小間隔を存して形成してなる紙製又は軟質合成樹脂製のシート状物2'を使用してもよい。従って、このシート状物2'においては、小突起部からなる隣接すると凸部3a' 、3a' 間の溝状の隙間が凹部3b' となり、これらの凸部3a' と凹部3b' によって凹凸係止面3'を形成している。
【００２６】
また、このシート状物2'は下面が全面的に平坦な面で上面に上記無数の凸部3a' を突設したシート状物であってもよいが、図においては、上記片面段ボールの中芯原紙2aと略同じ厚みのシート材にその下面から上面に向かって無数の凸部3a' を膨出、成形し、これらの凸部3a' の下面が下方に向かって開口した凹みとなっているシート状物2'を構成している。なお、このシート状物2'の下面に上記片面段ボールのライナ原紙に相当する一定厚みを有する紙製或いは軟質合成樹脂製の裏打ちシート材（図示せず）を一体に層着しておいてもよい。なお、凸部3a' は平面矩形状に形成しているが、円形或いは多角形等の適宜な平面形状に形成しておけばよい。
【００２７】
このように構成しているシート状物2'を段ボールケース等の紙製ケースからなる上記収納ケース１内にその凸部3a' を上向きにして敷設し、このシート状物2'上に連結釘Ａを載置すると、凹凸係止面3'における凸部3a' 上に当接した連結釘Ａにおける釘a1の先端が、該連結釘Ａの重量によって図７に示すように、該凸部3a' を凹ませるように変形させながら凸部3a' のその凹み変形部に食い込んで係止する一方、隣接する凸部3a' 、3a' 間の凹部3b' 上に位置する釘a2の先端が、該釘a2の自重によって凸部3a' に食い込んでいる上記釘a1の先端よりも僅かに沈降して該凹部3b' 内で浮いた状態になり、さらには凹部3b' 内で凸部寄りに偏った位置にある釘a3の先端は、凸部3a' の側面に当接又は一部を食い込ませた状態となる。
【００２８】
従って、連結釘Ａがシート状物2'上を前後左右に移動しようとしても、先端が凸部3a'
に食い込んでいる釘a1や凹部3b' 内に没入している釘a2、  凸部3a' の側面に当接、係止している釘a3等によって移動を阻止され、しかも、先端が凹部3b' 内に没入している釘a2が振動によってさらに凹部3b' の底面に向かって沈み込んで一層、凸部3a' を乗り越えるのが困難な状態となって妄動するのを確実に阻止され、シート状物２上に載置された時のそのままの形態を維持した状態で収納しておくことができる。
【図面の簡単な説明】
【００２９】
【図１】連結釘収納ケースの分解斜視図。
【図２】連結釘を２段重ねに収納した状態の一部切欠縦断正面図。
【図３】上蓋部を閉止した状態の一部切欠縦断正面図。
【図４】上段の連結釘上に緩衝シートを載置した状態の一部切欠縦断正面図。
【図５】シート状物と釘の先端部との係止状態を説明するための拡大縦断正面図。
【図６】本発明の別な実施の形態を示すシート状物の一部の斜視図。
【図７】このシート状物と釘の先端部との係止状態を説明するための拡大縦断正面図。
【符号の説明】
【００３０】
Ａ  連結釘
１  収納ケース
２  シート状物
2a  中芯原紙
2b  ライナー原紙
３  凹凸係止面
3a  凸部
3b  凹部
【図１】
2007216971.tif 000003
【図２】
2007216971.tif 000004
【図３】
2007216971.tif 000005
【図４】
2007216971.tif 000006
【図５】
2007216971.tif 000007
【図６】
2007216971.tif 000008
【図７】
2007216971.tif 000009